【手続補正書】
【提出日】平成19年6月25日(2007.6.25)
【手続補正１】
【補正対象書類名】特許請求の範囲
【補正対象項目名】全文
【補正方法】変更
【補正の内容】
【特許請求の範囲】
【請求項１】
コンピュータネットワークに接続される情報処理装置であって、
印刷ジョブを入力する入力手段と、
前記コンピュータネットワークに接続された画像処理機器によって前記印刷ジョブにおける描画処理を分散処理する場合に、ハードウェア描画処理するかソフトウェア描画処理するかを判定する判定手段と、
前記コンピュータネットワークに接続された画像処理機器から前記ハードウェア描画処理または前記ソフトウェア描画処理が可能な画像処理機器を探索する探索手段と、
前記判定および前記探索の結果に基づき、前記印刷ジョブから分割した分割ジョブを前記コンピュータネットワークに接続された画像処理機器に送信する制御手段とを有することを特徴とする情報処理装置。
【請求項２】
前記制御手段は、前記判定の結果が前記ハードウェア描画処理を示し、前記ハードウェア描画処理が可能な画像処理機器が探索された場合、前記画像処理機器に前記分割ジョブを送信することを特徴とする請求項1に記載された情報処理装置。
【請求項３】
前記制御手段は、前記判定の結果が前記ソフトウェア描画処理を示し、前記ソフトウェア描画処理が可能な画像処理機器が探索された場合、前記画像処理機器に前記分割ジョブを送信することを特徴とする請求項1に記載された情報処理装置。
【請求項４】
前記制御手段は、前記判定の結果が前記ハードウェア描画処理を示し、前記ハードウェア描画処理が可能な第一の画像処理機器が探索されず、前記ソフトウェア描画処理が可能な第二の画像処理機器が探索された場合、前記第二の画像処理機器に前記分割ジョブを送信することを特徴とする請求項1に記載された情報処理装置。
【請求項５】
前記制御手段は、前記分散処理を行う画像処理機器が探索されない場合は、前記印刷ジョブを、その印刷ジョブに指定された画像処理機器に送信することを特徴とする請求項1に記載された情報処理装置。
【請求項６】
さらに、前記分割ジョブの処理結果を受信する受信手段と、
前記分割ジョブの処理結果を結合する統合手段と、
前記統合手段の結合結果を印刷データとして、前記印刷ジョブに指定された画像処理機器に送信することを特徴とする請求項1から請求項5の何れか一項に記載された情報処理装置。
【請求項７】
コンピュータネットワークに接続される情報処理装置の制御方法であって、
印刷ジョブを入力し、
前記コンピュータネットワークに接続された画像処理機器によって前記印刷ジョブにおける描画処理を分散処理する場合に、ハードウェア描画処理するかソフトウェア描画処理するかを判定し、
前記コンピュータネットワークに接続された画像処理機器から前記ハードウェア描画処理または前記ソフトウェア描画処理が可能な画像処理機器を探索し、
前記判定および前記探索の結果に基づき、前記印刷ジョブから分割した分割ジョブを前記コンピュータネットワークに接続された画像処理機器に送信することを特徴とする制御方法。
【請求項８】
コンピュータネットワークに接続される情報処理装置であって、
印刷ジョブを入力する入力手段と、
前記コンピュータネットワークに接続された画像処理機器によって前記印刷ジョブにおける描画処理を分散処理する場合に、ハードウェア描画処理するかソフトウェア描画処理するかを判定する判定手段と、
前記判定手段により前記ハードウェア描画処理すると判定された場合、同種類のハードウェアを有する画像処理機器を探索する探索手段と、
前記探索の結果に基づき、前記印刷ジョブから分割した分割ジョブを探索された画像処理機器に送信する制御手段とを有することを特徴とする情報処理装置。
【請求項９】
前記探索手段は、前記判定手段により前記ソフトウェア描画処理すると判定された場合は、異機種の画像処理機器による分散処理を許容することを特徴とする請求項8に記載された情報処理装置。
【請求項１０】
前記探索手段は、ソフトウェアリソースとしてダイナミックジョブスケジューラに登録されていない画像処理機器は、前記ソフトウェア描画処理を行う画像処理機器として探索しないことを特徴とする請求項8に記載された情報処理装置。
【請求項１１】
コンピュータネットワークに接続される情報処理装置の制御方法であって、
印刷ジョブを入力し、
前記コンピュータネットワークに接続された画像処理機器によって前記印刷ジョブにおける描画処理を分散処理する場合に、ハードウェア描画処理するかソフトウェア描画処理するかを判定し、
前記判定により前記ハードウェア描画処理すると判定された場合、同種類のハードウェアを有する画像処理機器を探索し、
前記探索の結果に基づき、前記印刷ジョブから分割した分割ジョブを探索された画像処理機器に送信することを特徴とする制御方法。
【請求項１２】
所定のプリンタによって印刷すべき印刷ジョブの処理の指示を受信し、
複数の画像処理デバイスから同じ仕様を有するデバイスを判定し、
前記判定に基づき、前記印刷ジョブから分割した分割ジョブを前記デバイスに送信し、
前記デバイスによって処理された分割ジョブを前記所定のプリンタで印刷することを特徴とする画像処理方法。
【請求項１３】
情報処理装置を制御して、請求項7または請求項11に記載された制御を実行することを特徴とするコンピュータプログラム。
【請求項１４】
画像処理装置を制御して、請求項12に記載された画像処理を実行することを特徴とするコンピュータプログラム。
【請求項１５】
請求項13または請求項14に記載されたコンピュータプログラムが記録されたことを特徴とするコンピュータが読み取り可能な記憶媒体。
【手続補正２】
【補正対象書類名】明細書
【補正対象項目名】０００６
【補正方法】変更
【補正の内容】
【０００６】
本発明にかかる情報処理装置は、コンピュータネットワークに接続される情報処理装置であって、印刷ジョブを入力する入力手段と、前記コンピュータネットワークに接続された画像処理機器によって前記印刷ジョブにおける描画処理を分散処理する場合に、ハードウェア描画処理するかソフトウェア描画処理するかを判定する判定手段と、前記コンピュータネットワークに接続された画像処理機器から前記ハードウェア描画処理または前記ソフトウェア描画処理が可能な画像処理機器を探索する探索手段と、前記判定および前記探索の結果に基づき、前記印刷ジョブから分割した分割ジョブを前記コンピュータネットワークに接続された画像処理機器に送信する制御手段とを有することを特徴とする。
【手続補正３】
【補正対象書類名】明細書
【補正対象項目名】０００７
【補正方法】変更
【補正の内容】
【０００７】
また、コンピュータネットワークに接続される情報処理装置であって、印刷ジョブを入力する入力手段と、前記コンピュータネットワークに接続された画像処理機器によって前記印刷ジョブにおける描画処理を分散処理する場合に、ハードウェア描画処理するかソフトウェア描画処理するかを判定する判定手段と、前記判定手段により前記ハードウェア描画処理すると判定された場合、同種類のハードウェアを有する画像処理機器を探索する探索手段と、前記探索の結果に基づき、前記印刷ジョブから分割した分割ジョブを探索された画像処理機器に送信する制御手段とを有することを特徴とする。
【手続補正４】
【補正対象書類名】明細書
【補正対象項目名】０００８
【補正方法】変更
【補正の内容】
【０００８】
本発明にかかる制御方法は、コンピュータネットワークに接続される情報処理装置の制御方法であって、印刷ジョブを入力し、前記コンピュータネットワークに接続された画像処理機器によって前記印刷ジョブにおける描画処理を分散処理する場合に、ハードウェア描画処理するかソフトウェア描画処理するかを判定し、前記コンピュータネットワークに接続された画像処理機器から前記ハードウェア描画処理または前記ソフトウェア描画処理が可能な画像処理機器を探索し、前記判定および前記探索の結果に基づき、前記印刷ジョブから分割した分割ジョブを前記コンピュータネットワークに接続された画像処理機器に送信することを特徴とする。また、コンピュータネットワークに接続される情報処理装置の制御方法であって、印刷ジョブを入力し、前記コンピュータネットワークに接続された画像処理機器によって前記印刷ジョブにおける描画処理を分散処理する場合に、ハードウェア描画処理するかソフトウェア描画処理するかを判定し、前記判定により前記ハードウェア描画処理すると判定された場合、同種類のハードウェアを有する画像処理機器を探索し、前記探索の結果に基づき、前記印刷ジョブから分割した分割ジョブを探索された画像処理機器に送信することを特徴とする。
【手続補正５】
【補正対象書類名】明細書
【補正対象項目名】０００９
【補正方法】変更
【補正の内容】
【０００９】
本発明にかかる画像処理方法は、所定のプリンタによって印刷すべき印刷ジョブの処理の指示を受信し、複数の画像処理デバイスから同じ仕様を有するデバイスを判定し、前記判定に基づき、前記印刷ジョブから分割した分割ジョブを前記デバイスに送信し、前記デバイスによって処理された分割ジョブを前記所定のプリンタで印刷することを特徴とする。